(57)【要約】      （修正有）【課題】住宅等の壁面又は天井面等に設けた点検口に施す防音設備を工場で生産することができ、しかも施工性の良い簡単な構造によって構成し、且つ良好な防音効果を得ることができるようにした吸音点検口を提供する。【解決手段】住宅等の壁面又は天井面等に設けた点検口１を閉塞する蓋部材２の裏面に吸音材３を設けた吸音点検口において、吸音材３は第１層の吸音スポンジ３ａと該第１層の吸音スポンジ３ａの面上に貼着した第２層の吸音スポンジ３ｂとから構成され、第１層の吸音スポンジ３ａの表面積よりも小径に切断した第２層の吸音スポンジ３ｂを第１層の吸音スポンジ３ａの面上に貼着することによって第１層の吸音スポンジ３ａの面上に第２層の吸音スポンジ３ｂの切断面を形成した。【選択図】図２
0003183308.tif 000002
【実用新案登録請求の範囲】
【請求項１】
住宅等の壁面又は天井面等に設けた点検口を閉塞する蓋部材の裏面に吸音材を設けた吸音点検口において、吸音材は第1層の吸音スポンジと該第1層の吸音スポンジの面上に貼着した第２層の吸音スポンジとから構成され、第１層の吸音スポンジの表面積よりも小径に切断した第２層の吸音スポンジを第１層の吸音スポンジの面上に貼着することによって第１層の吸音スポンジの面上に第２層の吸音スポンジの切断面を形成したことを特徴とする吸音点検口。
【請求項２】
第1層及び第２層の吸音スポンジはセル構造を有する軟質ウレタンフォームからなることを特徴とする請求項１記載の吸音点検口。
【請求項３】
第1層の吸音スポンジの平面形状を４分割し、その内の２片を第１層の吸音スポンジの面上の対角位置に配置して貼着したことを特徴とする請求項1又は２記載の吸音点検口。
【請求項４】
蓋部材は中質繊維板であることを特徴とする請求項１、２又は３記載の吸音点検口。
【考案の詳細な説明】
【技術分野】
【０００１】
本考案は、住宅等の壁面又は天井面等に形成した点検口に吸音材を施すことによって防音効果を得るようにした吸音点検口に関する。
【背景技術】
【０００２】
従来から、住宅等の壁面又は天井面等に点検口を形成し、この点検口を開放することによって壁面内又は天井裏等に設けられた換気設備や各種配管等の点検又は補修工事等を行うようにしている。
【０００３】
ところが、このような点検口を塞ぐための蓋部材は防音対策を施した壁面や天井面等に比べて薄型に形成され、また換気設備等や各種配管等が点検口に隣接するため、点検口を蓋部材で塞いでいる状況であっても、点検口の内部の騒音が室内側に漏れて聞こえるという問題があった。
【０００４】
このような点検口からの騒音を防止するため、例えば、特許文献１に、天井点検口の開口部を覆う蓋の上部に設けた立ち上がり部内の底部にウレタンスポンジから成る吸音材を設けた構造が記載されている。
【０００５】
なお、この特許文献１に記載されているウレタンスポンジのほかにも、従来から、吸音材としてグラスウールを用い、このグラスウールを適宜の大きさに切断して点検口の蓋部材の内側面に貼り付けるという防音対策が施されていた。
【０００６】
しかしながら、このような防音対策は、蓋部材の内側に吸音材を一層だけ貼着した構造であり、その吸音材に用いるグラスウールやウレタンスポンジの使用形態もまた、ある程度の厚さを有する一層の吸音材を貼着するだけのものであった。
【０００７】
また、従来の住宅等の壁面又は天井面等に設けた点検口に関する防音構造は、点検口の裏面にプラスターボードやグラスウールを貼り合わせる方法が主流となっている。この方法は、通常、現場作業が主体であり、例えばグラスウールを現場で切断する場合のように切断作業の仕上りに差異が生じたり、ガラス繊維が飛散したりするため、施工性の面でも改善すべき点があった。
【先行技術文献】
【特許文献】
【０００８】
【特許文献１】特開２０００−１０４９７１号公報
【考案の概要】
【考案が解決しようとする課題】
【０００９】
本考案は、上記の事情に鑑みてなされたものであり、住宅等の壁面又は天井面等に設けた点検口に施す防音設備を工場で生産することができ、しかも施工性の良い簡単な構造によって構成し、且つ良好な防音効果を得ることができるようにした吸音点検口を提供することを目的とする。
【課題を解決するための手段】
【００１０】
本考案の課題を解決するために、本考案の請求項１の吸音点検口は、住宅等の壁面又は天井面等に設けた点検口を閉塞する蓋部材の裏面に吸音材を設けた吸音点検口において、吸音材は第1層の吸音スポンジと該第1層の吸音スポンジの面上に貼着した第２層の吸音スポンジとから構成され、第１層の吸音スポンジの表面積よりも小径に切断した第２層の吸音スポンジを第１層の吸音スポンジの面上に貼着することによって第１層の吸音スポンジの面上に第２層の吸音スポンジの切断面を形成したことを特徴とする。
【００１１】
また、本考案の請求項２の吸音点検口は、請求項１において、第1層及び第２層の吸音スポンジはセル構造を有する軟質ウレタンフォームからなることを特徴とする。
【００１２】
また、本考案の請求項３の吸音点検口は、請求項1又は２において、第1層の吸音スポンジの平面形状を４分割し、その内の２片を第１層の吸音スポンジの面上の対角位置に配置して貼着したことを特徴とする。
【００１３】
さらに、本考案の請求項４の吸音点検口は、請求項１、２又は３において、蓋部材は中質繊維板であることを特徴とする。
【考案の効果】
【００１４】
本考案の吸音点検口によれば、所定寸法に規格された点検口を構成する蓋部材の裏面に貼着する吸音スポンジは、グラスウールのようにガラス繊維等の微細な素材が飛散することもなく、現場における加工が容易であり、また工場で容易に切断加工を行うことも可能である。
【００１５】
また、本考案の吸音点検口に使用した吸音材は第1層の吸音スポンジと該第1層の吸音スポンジの面上に貼着した第２層の吸音スポンジとから構成され、第１層の吸音スポンジの表面積よりも小径に切断した第２層の吸音スポンジを第１層の吸音スポンジの面上に貼着することによって第１層の吸音スポンジの面上に第２層の吸音スポンジの切断側面を形成している。このような第1層及び第２層の吸音スポンジとしてはセル構造を有する軟質ウレタンフォームが好適する。
【００１６】
このような構成により、第１層の吸音スポンジの表面にて露呈した面と第２層の吸音スポンジの表面と第２層の吸音スポンジの切断面である側面とで吸音することができるため、単一の表面のみの吸音率とは異なる吸音率で騒音を吸音することが可能となる。
【００１７】
さらに、第1層の吸音スポンジの平面形状を４分割し、その内の２片を第１層の吸音スポンジの面上の対角位置に配置して貼着した構成とすることによって、簡単に、切断した第２層の吸音スポンジの形状を得ることが可能となる。
【図面の簡単な説明】
【００１８】
【図１】本考案の実施例における吸音点検口を表側から見た平面図である。
【図２】本考案の実施例における吸音点検口を裏側から見た斜視図である。
【図３】本考案の実施例における吸音点検口の第１層の吸音スポンジに第２層の吸音スポンジを貼着している状況を示す斜視図である。
【図４】本考案の実施例における吸音点検口の蓋部材に吸音スポンジを固定した状況を示す斜視図である。
【図５】本考案の実施例における吸音点検口の垂直入射評価（１）における評価結果グラフを示す図である。
【図６】本考案の実施例における吸音点検口の垂直入射評価（２）における評価結果グラフを示す図である。
【考案を実施するための形態】
【００１９】
以下、本考案の実施形態について図面を参照しながら説明する。
【実施例】
【００２０】
本実施例の吸音点検口は、図１〜図４に示すように、住宅等の壁面又は天井面等に設けた点検口１を閉塞する蓋部材２の裏面に吸音材３を設けた吸音点検口１において、吸音材３は第1層の吸音スポンジ３ａと該第1層の吸音スポンジ３ａの面上に貼着した第２層の吸音スポンジ３ｂとから構成され、第１層の吸音スポンジ３ａの表面積よりも小径に切断した第２層の吸音スポンジ３ｂを第１層の吸音スポンジ３ａの面上に貼着することによって第１層の吸音スポンジ３ａの面上に第２層の吸音スポンジ３ｂの切断面４を形成するようにしている。
【００２１】
このような本実施例の構成について詳細に述べると、蓋部材２は中質繊維板により構成する。この中質繊維板は、木質繊維に接着剤を混ぜて比重0.4〜0.8になるように熱圧成形した繊維板、即ちファイバーボードの一種であり、半硬質繊維板とも云われる。また、この中質繊維板は、英語の表記ではＭＤＦ（medium density fiberboard）と略称され、本実施例でも中質繊維板の略称として「ＭＤＦ」の表記を使用する。なお、本実施例において、この中質繊維板（ＭＤＦ）としては密度７７０Ｋｇ／ｍ3に調整したものを使用している。
【００２２】
また、吸音材３に使用する第1層及び第２層の吸音スポンジ３ａ、３ｂとしては、軟質発泡合成樹脂材料としてポリウレタンが好適し、セル構造を有する軟質ウレタンフォームから形成した、例えば日本発条株式会社製スーパーシールＳＢが最適する。本実施例では、このスーパーシールＳＢを単に「ＳＢ」と略称することがある。なお、本実施例において、スーパーシールＳＢは、密度４０Ｋｇ／ｍ3に調整したものを使用している。
【００２３】
本実施例の点検口１の構造として、図１に示すように、室内側から見た点検口１の表側の外観は、壁面や天井面等に形成した開口部に四辺の辺部５ａ、５b、５c、５dからなる枠部材５を固定し、この枠部材５に蓋部材２を嵌め込むように構成する。この枠部材５は四辺の辺部５ａ、５b、５c、５dを開閉する構造としてあり、各辺部５ａ、５b、５c、５dを前方に開いた状態で蓋部材２を嵌め込んだ後、各辺部５ａ、５b、５c、５dを閉じることによって蓋部材２を枠部材５に固定することが可能である。なお、各辺部５ａ、５b、５c、５dの内部には不図示のバネ部材が設けられ、枠部材５に嵌め込んだ蓋部材２を弾性的に支持することによって定位置に固定するようにしている。
【００２４】
また、図２に示すように、点検口１を裏側から見た外観、即ち壁面又は天井面等の内部から見た外観は、上記の枠部材５の面内から蓋部材２の裏面方向へ突出した２層の吸音材３を形成した構成としている。この吸音材３は、上記のように、第1層及び第２層の吸音スポンジ３ａ、３ｂから形成されている。そのいずれの吸音スポンジも、軟質発泡合成樹脂材料としてセル構造を有する軟質ウレタンフォームから形成してあり、日本発条株式会社製スーパーシールＳＢを密度４０Ｋｇ／ｍ3に調整したものを使用する。
【００２５】
本実施例では、図２に示すように、上記の吸音材３として、第1層の吸音スポンジ３ａの平面形状を４分割し、図３に示すように、その内の２片を第１層の吸音スポンジ３ａの面上の対角位置に配置し、両面接着剤６を用いて貼着した構成とすることによって、単純な切断作業によって第２層の吸音スポンジ３ａを形成することが可能である。
【００２６】
なお、第１層の吸音スポンジ３ａの表面積は、図２に示すように、上記の点検口１の枠部材５の内側から突出する四角形の平面形状を有する厚さ２０mm又は２５mmのものを使用する。また、図３に示すように、第１層の吸音スポンジ３ａの面上に貼着する切断した第２層の吸音スポンジ３ｂは、第1層の吸音スポンジ３ａの四角形の平面形状を切断加工によって４分割し、その４分割のうちの２片の四角形の吸音スポンジ３bを使用する。
【００２７】
また、図３に示すように、第１層の吸音スポンジ３ａの面上に切断した第２層の吸音スポンジ３ｂを固定するには、第１層の吸音スポンジ３ａと各第２層の吸音スポンジ３ｂ、３ｂとを第１層の吸音スポンジ３ａの面上の対角位置に配置して両面接着剤６で貼着する。
【００２８】
このような構成により、第１層の吸音スポンジ３ａの面上に第２層の吸音スポンジ３ｂの切断面４を形成し、第１層の吸音スポンジ３ａの表面にて露呈した面と第２層の吸音スポンジ３ｂの表面と第２層の吸音スポンジ３ｂの切断面４である側面とで吸音することができるため、単一の表面のみの吸音率とは異なる吸音率で吸音することが可能となる。
【００２９】
なお、上記のように本実施例では、平面形状が四角形の第１層の吸音スポンジ３ａを切断することによって、平面形状が四角形の切断形状を形成し、これを第２層の吸音スポンジ３ｂに使用しているが、この第２層の吸音スポンジ３ｂを打ち抜き作業や切断作業によって平面形状が三角形や円形の吸音スポンジとして形成するようにしても良い。
【００３０】
上記のように構成された本実施例の吸音スポンジを他の吸音構造と比較することによって、本実施例の吸音点検口１の吸音性能について延べる。
【００３１】
下記の表１は、垂直入射吸音率評価（１）を示すものであり、各種の評価サンプルに対して音波を垂直に入射した際の吸音率をＪＩＳ・Ａ１４０５−１に基づいて測定したものである。なお、ＪＩＳ・Ａ１４０５−１は、音響管による吸音率及びインピーダンスの測定に関する定在波比法を測定方法とするものである。また、その評価サンプルとして、表１の「1.評価サンプル」に記載するＡ、Ｂ、Ｃ、Ｄを使用する。
【００３２】
ここで、表１の「1.評価サンプル」に記載するＡ、Ｂ、Ｃ、Ｄの内容について説明する。即ち、表１に記載している「1.評価サンプル」の「Ａ：ＭＤＦ６mm＋ＳＢ４０mm」は、厚さ６mmの中質繊維板ＭＤＦの面上に厚さ４０mmのスーパーシールＳＢを固定したものである。
【００３３】
また、表１に記載している「1.評価サンプル」の「Ｂ：ＭＤＦ６mm＋ＳＢ２０mm＋ＳＢ２０mm（２／４カット）」は、厚さ６mmの中質繊維板ＭＤＦの面上に、第１層の吸音スポンジとして厚さ２０mmのスーパーシールＳＢを固定し、その面上に、厚さ２０mmの第１層の吸音スポンジの平面形状を４分割した吸音スポンジを２片用意して第２層の吸音スポンジ３ｂとし、図４に示すように、２片の第２層の吸音スポンジ３ｂ、３bを第１層の吸音スポンジ３ａの面上の対角位置に配置して貼着したものである。
【００３４】
また、表１に記載している「1.評価サンプル」の「Ｃ:ＭＤＦ６mm+ＳＢ２５mm+ＳＢ２５mm(２／４カット)」は、厚さ６mmの中質繊維板ＭＤＦの面上に、第１層の吸音スポンジとして厚さ２５mmのスーパーシールＳＢを固定し、その面上に、厚さ２５mmの第１層の吸音スポンジの平面形状を４分割した吸音スポンジを２片用意して第２層の吸音スポンジとして、図４に示すように、２片の第２層の吸音スポンジ３ｂ、３bを第１層の吸音スポンジ３ａの面上の対角位置に配置して貼着したものである。
【００３５】
さらに、表１に記載している「1.評価サンプル」の「Ｄ：プラスターボード（９．５mm＋１２．５mm積層品）」は、厚さ９．５mmのプラスターボードと厚さ１２．５mmのプラスターボードを２層の積層品に形成したものである。
【００３６】
【表１】
0003183308.tif 000003
【００３７】
上記の垂直入射吸音率評価（１）における「２．評価結果」をグラフに表すと、図５に示す「垂直入射吸音率評価（１）における評価結果グラフ」となる。
【００３８】
このグラフに示すように、評価サンプルＤ（Ｄ：プラスターボード（９．５mm＋１２．５mm積層品））に関するグラフ内の折れ線及び表１を参照すると、周波数１２５０ＨＺに対して吸音率０．３５０が最高値となり、その他の周波数に対しては低い吸音率を示した。
【００３９】
また、評価サンプルＡ（Ａ：ＭＤＦ６mm＋ＳＢ４０mm）の場合、周波数６３０ＨＺで吸音率０．８９３という最高値に達し、それ以上の周波数に対しては吸音率が一旦極度に低下して、周波数１２５０ＨＺで吸音率０．５６１という最低値に達する。そして、再び、高い周波数に対して吸音率を徐々に上げながら、周波数５０００ＨＺで吸音率０．８３５まで上昇するという変化を示した。
【００４０】
以上の評価は、従来から知られている構造の評価サンプルに対する吸音率評価である。これに対して、本実施例に関する評価サンプルＢ（Ｂ：ＭＤＦ６mm＋ＳＢ２０mm＋ＳＢ２０mm（２／４カット））の場合、周波数の上昇と共に吸音率も上昇して、周波数１０００ＨＺで吸音率０．９１２に達し、それ以上の周波数に対しては吸音率が極度に低下することなく、多少の高低を繰り返しながらも徐々に上がり、周波数５０００ＨＺでは、０．９０９という吸音率に達する結果を得ることができた。
【００４１】
さらに、本実施例に関する他の評価サンプルＣ（Ｃ:ＭＤＦ６mm+ＳＢ２５mm+ＳＢ２５mm(２／４カット)）の場合、上記の評価サンプルＢと略同様であるが、評価サンプルＢよりもさらに良好であり、周波数８００ＨＺで吸音率０．９０３に達し、それ以上の周波数に対して吸音率は多少の高低を繰り返しながらも徐々に上がり、周波数５０００ＨＺでは、１．０００という吸音率に達するという結果を得ることができた。
【００４２】
以上の結果から、本実施例の評価サンプルＣのように、中質繊維板ＭＤＦの面上に、より厚い第１層の吸音スポンジと第２層の吸音スポンジとを組み合わせ、第１層の吸音スポンジの面上に第２層の吸音スポンジを貼着することによって第１層の吸音スポンジの面上に第２層の吸音スポンジの切断面である側面を形成した場合に良好な吸音率を得ることが判明した。
【００４３】
さらに、下記の表２は、垂直入射吸音率評価（２）を示すものであり、その評価サンプルとして表２の「1.評価サンプル」に記載するＥ、Ｆ、Ｇ、Ｈを使用する。また、表２の「２.評価結果」を図６のグラフに示す。
【００４４】
ここで、表２「1.評価サンプル」に記載するＥ、Ｆ、Ｇ、Ｈの内容について説明する。まず、「Ｅ：ＭＤＦ６mmのみ」は、厚さ６mmの中質繊維板ＭＤＦのみを使用した場合である。
【００４５】
また、表２「1.評価サンプル」の「Ｆ：プラスターボード（９．５mm＋１２．５mm２層）」は、厚さ９．５mmのプラスターボードと厚さ１２．５mmのプラスターボードを２層に積層したものである。
【００４６】
表２「1.評価サンプル」の「Ｇ:ＭＤＦ６mm+ＳＢ２５mm+ＳＢ２５mm(２／４カット)」は、厚さ６mmの中質繊維板ＭＤＦの面上に、第１層の吸音スポンジとして厚さ２５mmのスーパーシールＳＢを固定し、その面上に、第１層の吸音スポンジの平面形状を４分割した厚さ２５mmの吸音スポンジを２片用意して第２層の吸音スポンジとし、図４に示すように、２片の第２層の吸音スポンジ３b、３bを第１層の吸音スポンジ３ａの面上の対角位置に配置して貼着したものである。
【００４７】
表２「1.評価サンプル」の「Ｈ：プラスターボード２２mm（９．５mm＋１２．５mm２層）＋Gw５０mm（密度24Ｋｇ/ｍ3）」は、厚さ９．５mmのプラスターボードと厚さ１２．５mmを積層して合計２２mmの積層品とし、その面上に厚さ５０mmのグラスウール（密度24Ｋｇ/ｍ3）を貼着したものである。
【００４８】
【表２】
0003183308.tif 000004
【００４９】
上記の垂直入射吸音率評価（２）における「２．評価結果」をグラフに表すと、図６に示す「垂直入射吸音率評価（２）における評価結果グラフ」となる。
【００５０】
このグラフに示すように、評価サンプルＥ（Ｅ：ＭＤＦ６mmのみ）に関するグラフ内の折れ線及び表２を参照すると、周波数１２５〜５０００ＨＺの全域で吸音率０．１１５以下という低い吸音率を示した。
【００５１】
また、評価サンプルＦ（Ｆ：プラスターボード（９．５mm＋１２．５mm積層品））の場合、周波数１２５０ＨＺに対して吸音率０．３５０が最高値となり、その他の周波数に対しては、低い吸音率を示した。
【００５２】
また、評価サンプルＨ（Ｈ：プラスターボード２２mm（９．５mm＋１２．５mm積層品）＋グラスウールGw５０mm（密度24Ｋｇ/ｍ3））の場合、周波数の上昇と共に吸音率も上昇し、周波数８００ＨＺで吸音率０．９５６に達し、それ以上の周波数に対しては多少の高低を繰り返しながら、周波数５０００ＨＺでは、０．９９２という吸音率に達した。
【００５３】
以上の評価は、従来の評価サンプルに対する吸音率評価である。これに対して、本実施例に関する評価サンプルＧ（Ｇ:ＭＤＦ６mm+ＳＢ２５mm+ＳＢ２５mm(２／４カット)）の場合、上記の垂直入射吸音率評価（１）で示したように、周波数の上昇と共に吸音率も上昇し、周波数８００ＨＺで吸音率０．９０３に達し、それ以上の周波数に対しては吸音率が極度に低下することなく、吸音率は多少の高低を繰り返しながらも徐々に上がり、周波数５０００ＨＺでは、１.０００という吸音率に達するという結果を得た。
【００５４】
なお、評価サンプルＧ（Ｇ:ＭＤＦ６mm+ＳＢ２５mm+ＳＢ２５mm(２／４カット)）の場合における吸音率評価は、評価サンプルＨ（Ｈ：プラスタ２２mm（９．５mm＋１２．５mm２層）＋Gw５０mm（密度24Ｋｇ/ｍ3））の場合における吸音率評価と略同様の結果となった。
【００５５】
しかしながら、評価サンプルＨの場合、吸音材料としてグラスウールを使用しているため、その施工作業は現場作業が主体となり、切断作業の仕上りに差異が生じたり、ガラス繊維が飛散したりするため、作業性の面でも改善すべき点がある。従って、作業性を考慮すれば、本実施例のようにスーパーシールＳＢのような軟質ウレタンフォームを吸音スポンジに使用することによって、切断作業も簡単となり、切断作業の寸法精度も良好であって、工場生産が可能な吸音構造を得ることが可能となる。
【産業上の利用可能性】
【００５６】
本考案の吸音点検口は、住宅等の壁面又は天井面等に設けた点検口に施す防音設備を工場で生産することができ、しかも施工性の良い簡単な構造によって構成し、且つ良好な防音効果を得ることができるようにした吸音点検口として利用可能である。
【符号の説明】
【００５７】
１  点検口
２  蓋部材
３  吸音材
３ａ  第1層の吸音スポンジ
３b  第２層の吸音スポンジ
４  切断面
５  枠部材
５ａ、５b、５c、５d  辺部
６  両面接着剤
【図１】
0003183308.tif 000005
【図２】
0003183308.tif 000006
【図３】
0003183308.tif 000007
【図４】
0003183308.tif 000008
【図５】
0003183308.tif 000009
【図６】
0003183308.tif 000010